(57)【要約】【課題】  一回の撮影で動画データとその撮影期間中の所望のタイミングにおける静止画データとの両方を得ることが出来るとともに、静止画データとして常に高画質の画像データを得ることのできるデジタル撮像装置を提供する。【解決手段】  撮像を行う撮像手段１０と、撮像手段１０から供給される信号を所定周期で取り込んで所定周期ごとのデジタル画像信号を生成する信号処理手段１１と、信号処理手段１１から順次供給されるデジタル画像信号を取り込んで画像サイズを縮尺することなく各タイミングの画像データを時系列に並べた第１形式の動画データを生成するデータ処理手段１３と、データ処理手段１３により生成された第１形式の動画データを記憶媒体に記憶させる記憶手段１４とを備えたデジタル撮像装置である。そして、データ処理手段１３により、記憶媒体に記憶された第１形式の動画データから指定タイミングの画像データを１個の静止画の画像データとして取り出して記憶媒体に記憶させることを可能とした。【選択図】        図１
2007116331.tif 000002
【特許請求の範囲】
【請求項１】
撮像を行う撮像手段と、
前記撮像手段から供給される信号を所定周期で取り込んで所定周期ごとのデジタル画像信号を生成する信号処理手段と、
前記信号処理手段から順次供給されるデジタル画像信号を取り込んで画像サイズを縮尺することなく画像サイズが７２０ピクセル×１２８０ピクセル以上の画像データを時系列に並べた第１形式の動画データを生成するデータ処理手段と、
前記データ処理手段により生成された第１形式の動画データを記憶媒体に記憶させる記憶手段と、
前記記憶媒体に記憶された第１形式の動画データから指定タイミングの画像データを１個の静止画の画像データとして取り出して記憶媒体に記憶或いは装置外部に出力する静止画データ生成手段と、
前記記憶媒体に記憶された第１形式の動画データをＭＰＥＧ２或いはＨ．２６４等の汎用性を有する第２形式の動画データに圧縮変換して記憶媒体に記憶或いは装置外部に出力する動画データ変換手段と、
外部からの操作により指令を入力する操作入力部と、
該操作入力部からの入力内容に基づいて各部の動作制御を行う制御手段とを備え、
前記操作入力部からは、撮像の指令と静止画を取り出す指令と動画データの変換を行う指令とが入力可能であり、
前記制御手段は、
前記操作入力部から撮像の指令が入力された場合に、前記信号処理手段と前記データ処理手段と前記記憶手段とを動作させて第１形式の動画データを記憶媒体に記憶させ、前記操作入力部から静止画取出しの指令が入力された場合に、前記静止画データ生成手段を動作させて静止画の画像データを取り出させ、前記操作入力部から動画データ変換の指令が入力された場合に、前記動画データ変換手段を動作させて前記第２形式の動画データの圧縮変換をさせることを特徴とするデジタル撮像装置。
【請求項２】
撮像を行う撮像手段と、
前記撮像手段から供給される信号を所定周期で取り込んで所定周期ごとのデジタル画像信号を生成する信号処理手段と、
前記信号処理手段から順次供給されるデジタル画像信号を取り込んで画像サイズを縮尺することなく各タイミングの画像データを時系列に並べた第１形式の動画データを生成するデータ処理手段と、
前記データ処理手段により生成された第１形式の動画データを記憶媒体に記憶させる記憶手段と、
前記記憶媒体に記憶された第１形式の動画データから指定タイミングの画像データを１個の静止画の画像データとして取り出して記憶媒体に記憶或いは装置外部に出力する静止画データ生成手段と、
を備えたことを特徴とするデジタル撮像装置。
【請求項３】
前記第１形式の動画データは、画像サイズが７２０ピクセル×１２８０ピクセル以上の画像データを時系列に並べた形式であることを特徴とする請求項２記載のデジタル撮像装置。
【請求項４】
前記記憶媒体に記憶された第１形式の動画データを汎用性を有する第２形式の動画データに圧縮変換して記憶媒体に記憶或いは装置外部に出力する動画データ変換手段を備えていることを特徴とする請求項２又は３に記載のデジタル撮像装置。
【請求項５】
前記第２形式の動画データは、連続する複数のフレーム間の差異を符号化して表わしたフレームデータを有する圧縮形式であることを特徴とする請求項４記載のデジタル撮像装置。
【請求項６】
前記第２形式の動画データは、ＭＰＥＧ２形式、或いは、Ｈ．２６４形式であることを特徴とする請求項４又は５に記載のデジタル撮像装置。
【請求項７】
前記第２形式の動画データは、前記第１形式の動画データよりも画像サイズが小さい動画形式であることを特徴とする請求項４〜６の何れかに記載のデジタル撮像装置。
【請求項８】
外部からの操作により指令を入力する操作入力部と、
この操作入力部からの入力内容に基づいて各部の動作制御を行う制御手段とを備え、
前記操作入力部からは、撮像の指令と静止画を取り出す指令と動画データの変換を行う指令とが入力可能であり、
前記制御手段は、
前記操作入力部から撮像の指令が入力された場合に、前記信号処理手段と前記データ処理手段と前記記憶手段とを動作させて第１形式の動画データを記憶媒体に記憶させ、
前記操作入力部から静止画取出しの指令が入力された場合に、前記静止画データ生成手段を動作させて静止画の画像データを取り出させ、
前記操作入力部から動画データ変換の指令が入力された場合に、前記動画データ変換手段を動作させて前記第２形式の動画データの圧縮変換をさせる、
ことを特徴とする請求項４〜７の何れかに記載のデジタル撮像装置。
【発明の詳細な説明】
【技術分野】
【０００１】
この発明は、デジタルスチルカメラやデジタルビデオカメラなどの撮像装置に関し、特に動画と静止画の両方の撮影が可能な撮像装置に利用して有用な技術に関する。
【背景技術】
【０００２】
近年、静止画を撮影するデジタルスチルカメラにおいて短時間の動画撮影を可能としたり、動画を撮影するデジタルビデオカメラにおいて静止画の撮影を可能としたものが商品化されている。
【０００３】
また、本発明に関連する従来の技術として次のような技術がある。例えば、特許文献１には、撮影した動画を録画テープに記録するビデオカメラ装置おいて、静止画撮影の操作を行ったときに５フレーム分の画像データをバッファメモリに蓄えて、その中から所望の画像データを選択してデータディスクに記録できるようにした技術が開示されている。
【０００４】
また、特許文献２には、撮像素子からの信号から動画データを生成する回路と静止画の画像データを生成する回路とを有し、動作モードを切り換えて動画処理用の回路を動作させたり、静止画処理用の回路を動作させたりすることで、一般的な動画データを生成したり、高画質の静止画データを生成したりできるようにした画像生成装置について開示されている。
【０００５】
また、特許文献３と４には、動画の撮影中に静止画撮影の指示が行われた場合に、撮像手段から取り込まれた信号に静止画用の処理を行ったり、動画像の複数フレームの画像データを静止画用に合成処理するなどして、動画の撮影と並行して静止画の画像データを生成することを可能とする技術が開示されている。
【特許文献１】特開２００４−０９６７８４号公報
【特許文献２】特開２００４−２８２５９８号公報
【特許文献３】特開２００５−２１７４９３号公報
【特許文献４】特開２００５−１９７９１０号公報
【発明の開示】
【発明が解決しようとする課題】
【０００６】
しかしながら、上記従来の撮像装置では次のような問題があった。先ず、動画と静止画の両方の撮影ができる一般的なビデオカメラおよびデジタルスチルカメラでは、動画を撮影する動作モードと静止画を撮影する動作モードとを切り換えて動画撮影をしたり静止画撮影をするものであり、動画と静止画とを同時に記録することが出来ないという問題があった。
【０００７】
また、静止画を撮影するときにはシャッター操作を行ってその操作毎に一枚の静止画データを記憶媒体に記録する構成であり、シャッター操作から静止画データを確保するまでにタイムラグが生じてしまうため、動く被写体を撮影する場合に所望のポーズとなった瞬間を撮影するのが難しいという問題もあった。
【０００８】
また、静止画の撮影を例えばシャッター操作等のリアルタイムの操作により行うのではなく、一旦、動画撮影のように一定期間の撮影を行い、その後に静止画とするタイミングを指定して静止画像を取得できるようにしたいという要求があったが、従来の一般的なデジタル撮像装置や特許文献１〜４の装置ではこの要求に応えることが出来なかった。
【０００９】
このような要求は、ビデオカメラで動画を撮影した後にその動画データをパーソナルコンピュータなどに取り込んで、その動画データから１フレームの画像データを切り出すなどして実現できないか検討したが、このような構成では次のような問題が考えられた。
【００１０】
すなわち、従来のデジタルビデオカメラでは、ＳＤ（標準精細）画質のMotionJPEGやＭＰＥＧ２など汎用性のある動画フォーマットで動画像が記録されるが、例えばＳＤ画質の動画データの場合、画素数が少ない上にインターレース画像であり静止画にすると画像が著しく荒くなり、静止画像データとして実用的な画質は得られない。また、ＨＤ（高精細）画質のＭＰＥＧ２の動画像データでは、１フレームの静止画を符号化したＩピクチャの画像であれば画質は良いが、前フレームとの誤差を符号化したＰピクチャや前後のフレームとの誤差を符号化したＢピクチャなどでは画質の劣化がかなり大きくなり、静止画像データとして実用的な画質は得られない。さらに、Ｉピクチャは１秒間に数フレームしか含まれていないので、静止画として切り出したいタイミングにＩピクチャが生成されていないことが多く、結果として所望のタイミングの静止画像を高画質の画像データとして得られないことが多い。
【００１１】
この発明の目的は、一回の撮影で動画データとその撮影期間中の所望のタイミングにおける静止画データとの両方を得ることが出来るとともに、静止画データとして常に高画質の画像データを得ることのできるデジタル撮像装置を提供することにある。
【課題を解決するための手段】
【００１２】
本発明は、上記目的を達成するため、撮像を行う撮像手段と、前記撮像手段から供給される信号を所定周期で取り込んで所定周期ごとのデジタル画像信号を生成する信号処理手段と、前記信号処理手段から順次供給されるデジタル画像信号を取り込んで画像サイズを縮尺することなく各タイミングの画像データを時系列に並べた第１形式の動画データを生成するデータ処理手段と、前記データ処理手段により生成された第１形式の動画データを記憶媒体に記憶させる記憶手段と、前記記憶媒体に記憶された第１形式の動画データから指定タイミングの画像データを１個の静止画の画像データとして取り出して記憶媒体に記憶或いは装置外部に出力する静止画データ生成手段とを備えた構成とした。
【００１３】
このような構成によれば、被写体を一定期間動画撮影した後、その撮影期間の所望のタイミングの静止画像を高画質な画像データとして切り出して保存することが出来る。
【００１４】
具体的には、前記第１形式の動画データは、画像サイズが７２０ピクセル×１２８０ピクセル以上の画像データを時系列に並べた形式とすると良い。ここで、この画像データとしては、ビットマップ形式の画像データ、ＪＰＥＧ圧縮した画像データ、或いは、これらに準ずる種々の形式の画像データを適用することが出来る。
【００１５】
このような構成により、動画データ中の何れのフレームを静止画像として切り出した場合でも、高画質の静止画データを得ることが出来る。
【００１６】
望ましくは、前記記憶媒体に記憶された第１形式の動画データを汎用性を有する第２形式の動画データに圧縮変換して記憶媒体に記憶或いは装置外部に出力する動画データ変換手段を備えると良い。
【００１７】
このような構成によれば、高画質な画像データの切出しが可能であるものの汎用性のない第１形式の動画データを汎用性のある第２形式の動画データに変換できるので、この変換により動画データを他の一般的な外部機器で再生することが可能となるし、動画に適した高い圧縮率や動画に適した必要十分な画質で動画データを保存することが出来る。
【００１８】
具体的には、上記の第２形式の動画データは、連続する複数のフレーム間の差異を符号化して表わしたフレームデータを有する圧縮形式となり、例えば、ＭＰＥＧ２形式、或いは、Ｈ．２６４形式とすると良い。また、上記の第２形式の動画データは、前記第１形式の動画データよりも画像サイズが小さい動画形式としても良い。この構成により、動画として妥当なデータサイズで取扱い易いデータを得ることができる。
【００１９】
さらに具体的には、外部からの操作により指令を入力する操作入力部と、この操作入力部からの入力内容に基づいて各部の動作制御を行う制御手段とを備え、前記操作入力部からは、撮像の指令と静止画を取り出す指令と動画データの変換を行う指令とが入力可能であり、前記制御手段は、前記操作入力部から撮像の指令が入力された場合に、前記信号処理手段と前記データ処理手段と前記記憶手段とを動作させて第１形式の動画データを記憶媒体に記憶させ、前記操作入力部から静止画取出しの指令が入力された場合に、前記静止画データ生成手段を動作させて静止画の画像データを取り出させ、前記操作入力部から動画データ変換の指令が入力された場合に、前記動画データ変換手段を動作させて前記第２形式の動画データの圧縮変換をさせるように構成すると良い。
【００２０】
このような構成によれば、撮像の指令操作により撮影時には動画撮影とか静止画撮影とかを意識せずに撮影を行い、その後に、必要な静止画を切り出したり、汎用的な動画データに変換して、高画質の静止画データや取扱い易い動画データを得ることが出来る。
【発明の効果】
【００２１】
以上説明したように、本発明に従うと、一回の撮影で、動画データとその撮影期間中の所望のタイミングにおける静止画データとの両方を得ることが出来るとともに、静止画データは動画データ中の所望のフレームを選択して切り出すことが出来るので静止画として撮りたい瞬間の映像を逃すことがない。また、撮影時に上記第１形式の動画データが保存されるので、全てのフレームにおいて高画質の静止画データを得ることが出来るという効果がある。
【発明を実施するための最良の形態】
【００２２】
以下、本発明の実施の形態を図面に基づいて説明する。
【００２３】
図１は、本発明の実施の形態のデジタル撮像装置の全体構成を示すブロック図である。
この実施の形態のデジタル撮像装置１は、映像を電気信号により取り込んでこれをデジタルデータに変換して記録する装置である。このデジタル撮像装置１は、映像を電気信号により取り込むＣＣＤ（charge coupled device）などの撮像素子１０と、撮像素子１０により取り込まれた電気信号に対してノイズ除去やゲインコントロールを行いながら所定周期ごとにサンプリングして所定周期ごとのデジタル画像信号を生成するＡＦＥ（Analog Front-End）１１と、音声を入力してデジタル変換するマイク＆ＡＤコンバータ１２と、動画データの符号化や静止画データの切出しなど種々のデータ処理を行うデータ処理回路１３と、動画データや静止画データを例えばハードディスクなどの記憶媒体に記憶させる記憶装置１４と、例えば液晶パネルとその駆動回路からなり撮影中の映像出力や記憶装置１４に記憶されている動画や静止画の表示出力を行うディスプレー部１５と、音声出力を行うスピーカ１６と、複数の操作ボタンなどを有しユーザからの操作入力を受ける操作入力部１７と、ＣＰＵ（中央演算処理装置）や制御プログラムを格納した不揮発性メモリを内蔵しシステムの全体的な制御を行う制御手段としてのシステムコントローラ１８等から構成される。これらの構成のうち、撮像素子１０とＡＦＥ１１により信号処理手段が構成されている。
【００２４】
上記のデータ処理回路１３は、データ処理手段、静止画データ生成手段、および、動画データ変換手段を構成するもので、次の１〜６のデータ処理を行う。
１．ＡＦＥ１１から送られてくるデジタル画像信号をＪＰＥＧ形式に符号化し、これらを時系列に並べるとともにマイク＆ＡＤコンバータ１２から送られる音声データを重畳して、第１形式としてのＨＤ画質のMotionJPEG形式の動画データを生成するエンコード処理
２．ＡＦＥ１１から送られてくるデジタル画像信号とマイク＆ＡＤコンバータ１２から送られる音声データとをディスプレー部１５およびスピーカ１６に送って映像出力と音声出力を行わせる処理
３．ＨＤ画質のMotionJPEG形式の動画データを、第２形式としてのＭＰＥＧ２やＨ．２６４形式の動画データに変換するデータ変換処理
４．ＨＤ画質のMotionJPEG形式の動画データから指定フレームの静止画像を例えばＪＰＥＧなどの画像データに変換（切出し）する処理
５．生成したデータを記憶装置１４に送って記憶させたりこれらのデータを記憶装置１４から読み出す処理
６．記憶装置１４から読み出した動画データや静止画像データを複合してディスプレー部１５に送って表示出力させたり、動画データに重畳された音声データをアナログ変換してスピーカ１６に送って音声出力させる再生処理
【００２５】
なお、ここで、第１形式として、ＨＤ画質のMotionJPEG形式を示しているが、ＡＦＥ１１から供給されるデジタル画像信号をその画像サイズを縮尺することなく、各フレームの画像データを時系列に並べたプログレッシブ画像のデータ形式であれば、その他種々のデータ形式を適用しても良い。例えば、ＪＰＥＧ圧縮せずにビットマップ形式の画像データを時系列に並べた形式や、全てのフレームがＩピクチャからなるＭＰＥＧ２の動画形式を適用することも可能である。また、静止画像データとして十分な高画質を得るためには各タイミングの画像データの画像サイズは７２０ピクセル×１２８０ピクセル以上とすると良い。
【００２６】
また、手ぶれ補正等のためにＡＦＥ１１から供給されるデジタル画像信号から所定の画像サイズの枠外を削除するトリミング処理を行うことがあるが、このようなトリミング処理は画像サイズの縮尺に該当するものではない。
【００２７】
また、第２形式の動画データとして、ＭＰＥＧ２やＨ．２６４形式のものを示しているが、汎用性のある動画形式であれば良く、その他、ＭＰＥＧ１やＭＰＥＧ４の種々の形式のものを適用することが出来る。また、動画データから切り出す画像データもＪＰＥＧ形式のものに限られず、ビットマップ形式やその他種々の形式の画像データとしても良い。
【００２８】
システムコントローラ１８は、操作入力部１７からの信号を受けながら制御プログラムを実行して、データ処理回路１３に制御信号を出力して所定の動作を行わせたり、ＡＦＥ１１やディスプレー部１５に作動信号を出力して動作制御を行うようになっている。
【００２９】
次に、図２と図３のフローチャートを参照しながら上記構成のデジタル撮像装置１の動作について説明する。
図２は、システムコントローラ１８により実行されるモード選択処理のフローチャート、図３は、図２のステップＳ４の静止画切出し処理のフローチャートである。
【００３０】
電源投入時、或いは、ユーザがモード選択の操作を行った場合に、このモード選択処理が開始される。このモード選択処理では、先ず、モード選択用の操作画面をディスプレー部１５に表示してユーザからのキー操作の入力を監視する（ステップＳ１）。そして、モード選択の操作があると選択された動作モードの処理へ分岐する（ステップＳ２）。
【００３１】
このデジタル撮像装置１には、動作モードとして、撮影を行う撮影モードと、静止画の切出しを行う動作モードと、動画形式を変換して記憶装置１４に格納しなおす動画変換モードとがある。そして、撮影モードが選択されたらステップＳ３の撮影処理へ移行し、静止画切出しのモードが選択されたステップＳ４の静止画切出し処理へ移行し、動画変換モードが選択されたらステップＳ５の動画変換処理へ移行する。
【００３２】
撮影処理（ステップＳ３）に移行すると、先ず、ＡＦＥ１１やデータ処理回路１３やディスプレー部１５を作動させて、撮像素子１０とＡＦＥ１１により取り込んだ映像信号をディスプレー部１５に送って表示出力させる。さらに、ユーザからの撮影開始の操作をトリガーとしてデータ処理回路１３により取り込んだ映像信号をMotionJPEGの形式（第１形式）に変換し音声データと重畳させて記憶装置１４に記憶させていく。そして、撮影の停止の操作でこの動画データの生成と記録を停止させ、記憶装置１４に出力していた動画データを１つのデータファイルとして固定させる。そして、ユーザの撮影終了の操作によりこの撮影処理を終了する。
【００３３】
静止画切出し処理（ステップＳ４）に移行すると、図３に示すように、先ず、データ処理回路１３とディスプレー部１５を作動させて、ディスプレー部１５に記憶装置１４に格納されているMotionJPEGの動画データファイルを例えばサムネイル形式で表示させたファイル選択画面を表示させ、ユーザ操作によりいずれかのデータファイルを選択させる（ステップＳ１１）。
【００３４】
そして、データファイルが選択されたら、データ処理回路１３においてそのMotionJPEGの動画データの再生処理を開始させ、その映像をディスプレー部１５に出力させる（ステップＳ１２）。さらに、この再生処理を続けながら、ユーザによる静止画として切り出すフレームの選択操作を監視する（ステップＳ１３）。なお、この再生処理中に、動画再生の早送り、巻き戻し、一時停止、スロー再生等を可能としても良い。
【００３５】
ユーザにより切出しフレームの選択操作がなされたら、映像表示をそのフレームの箇所で一時停止させ（ステップＳ１４）、このフレーム画像を静止画データとして切り出すか否かユーザに確認を行う（ステップＳ１５）。そして、ユーザがＹＥＳの操作をすれば静止画の切出し処理（ステップＳ１６）へ移行し、ＮＯの操作がなされたらステップＳ１２に戻って再び動画データを一時停止の箇所より再生する。
【００３６】
ユーザのＹＥＳの操作により静止画の切出し処理（ステップＳ１６）に移行したら、該ステップにおいて、データ処理回路１３によりこのフレーム画像のデータをＪＰＥＧ形式の画像データに変換させ、この画像データを１つのデータファイルとして記憶装置１４に記憶させる。
【００３７】
そして、この静止画の切出し処理で静止画切出しを終了するかユーザに確認してＹＥＳの操作がなされたら静止画切出し処理を終了する。また、ＮＯの操作がなされたら再びステップＳ１２に戻って再び動画データの再生の処理からを続ける。
【００３８】
以上のような静止画切出し処理により、ユーザは撮影した動画を再生しながら所望のフレームの静止画を高画質な画像データとして切り出して、記憶装置１４に記憶させることが出来る。
【００３９】
動画変換処理（図２のステップＳ５）では、先ず、データ処理回路１３とディスプレー部１５を作動させて、記憶装置１４に格納されているMotionJPEGの動画データファイルを例えばサムネイル形式で表示させたファイル選択画面をディスプレー部１５に出力させ、ユーザ操作によりいずれかのデータファイルを選択させる。
【００４０】
そして、データファイルが選択されたら、そのMotionJPEGの動画データをデータ処理回路１３において記憶装置から読み出してＭＰＥＧ２やＨ．２６４の形式に変換しながら再び記憶装置１４に記憶させていく。そして、選択された動画データの全てを変換したらこの動画変換処理を終了する。
【００４１】
この動画変換処理により、動画データのサイズを圧縮して取扱い容易なデータファイルにしたり、動画データを外部の一般的な再生装置に移して再生可能にすることが出来る。
【００４２】
そして、上述の選択された動作モードの処理が終了したら、ユーザにモード選択処理を終了するか確認して（ステップＳ６）、ユーザの操作に応じてモード選択処理を終了するか、或いは、再び、ステップＳ１の処理に戻ってモード選択処理を繰り返す。
【００４３】
以上のように、この実施の形態のデジタル撮像装置１によれば、動作モードを撮影モードにして一定期間被写体を撮影した後、静止画切出し処理によりその撮影期間の所望のタイミングにおける静止画像を高画質な画像データとして切り出して保存することが出来る。従って、動く被写体を撮影する場合に所望のポーズとなった瞬間を高画質な静止画像データとして容易に取得することが出来る。
【００４４】
また、撮影処理で記憶装置１４に格納される動画データは、汎用性がなくデータ圧縮率も低いものであるが、動画変換処理によりそれを汎用性が高くデータ圧縮率の高い形式に変換して取扱い容易な動画データとすることが出来る。
【００４５】
また、撮影モードとして第１形式の動画データを生成記憶する撮影モードのみを設け、静止画撮影用のシャッタボタンも設けないことで、ユーザは撮影時に撮影モードをどれにするか迷うことなく撮影を実行することが出来るという効果が奏される。また、その場合でも、事後的に所望の形式の動画データや高画質の静止画を生成できるという効果が奏される。
【００４６】
なお、本発明は、上記実施の形態に限られるものではなく、様々な変更が可能である。例えば、上記の実施の形態では、記憶装置としてハードディスクを例示しているが、例えばデータ記録の可能なＤＶＤ（デジタル多用途ディスク）装置や大容量のフラッシュメモリなど種々の記憶装置を適用することが出来る。また、記憶装置に記憶されたデータファイルを外部出力可能としても良いし、切り出した静止画像データや形式変換した動画データを記憶装置に一旦記憶させずに、直接外部に出力するように構成しても良い。
【００４７】
また、上記の実施の形態では、撮影時に第１形式の動画データを生成記憶する撮影モードのみを有する装置として説明したが、その他、撮影時に第２形式の動画データを直接生成する撮影モードを加えたり、シャッター操作により静止画データを直接生成する静止画撮影モードを備えた装置としても良い。
【００４８】
その他、動画や静止画のデータ形式の種類やフローチャートに示した具体的な処理の内容など、実施の形態で述べた細部等は発明の趣旨を逸脱しない範囲で適宜変更可能である。
【図面の簡単な説明】
【００４９】
【図１】本発明の実施の形態のデジタル撮像装置の全体構成を示すブロック図である。
【図２】システムコントローラにより実行されるモード選択処理の手順を示すフローチャートである。
【図３】図２の静止画切出処理の処理手順を示すフローチャートである。
【符号の説明】
【００５０】
１      デジタル撮像装置
１０    撮像素子
１１    ＡＦＥ（信号処理手段）
１３    データ処理回路（データ処理手段、静止画データ生成手段、動画データ変換手段）
１４    記憶装置
１５    ディスプレー部
１７    操作入力部
１８    システムコントローラ（制御手段）
【図１】
2007116331.tif 000003
【図２】
2007116331.tif 000004
【図３】
2007116331.tif 000005